(57)【要約】【課題】リム内壁面の視認性を維持しつつ、棚部の露出量を低減させて、汚物の付着し易さに関する見た目の不安感を解消することができる水洗大便器を提供する。【解決手段】本発明の水洗大便器１は、ボウル形状の汚物受け面４の上縁４ａに形成される棚部６と、この棚部の外縁６ａ付近から立ち上がるリム内壁面８ｂを形成するリム部８と、を備えたボウル部１０を有し、ボウル部は、前後方向に二等分する左右方向に延びる中心軸線に対して前方側及び後方側にそれぞれ形成される前方側領域Ｆ及び後方側領域Ｒをそれぞれ備えており、リム内壁面は、その下方から上方に向かってボウル部の内側に張り出したオーバーハング部分８ｃを備えており、ボウル部の前方側領域におけるオーバーハング部分の下端８ｄよりもボウル部の内側に張り出した水平方向のオーバーハング量Ｗ１と棚部の幅Ｗ２との比率Ｗ１／Ｗ２は、１．０より小さく設定されている。【選択図】図３
2018080503.tif 000002
【特許請求の範囲】
【請求項１】
洗浄水源から供給される洗浄水によって洗浄されて汚物を排出する水洗大便器であって、
ボウル形状の汚物受け面と、この汚物受け面の上縁に形成される棚部と、この棚部の外縁から外側へ延びる連結部と、この連結部の外縁から立ち上がるリム内壁面を形成するリム部と、を備えたボウル部と、
上記ボウル部内に洗浄水を吐水するリム吐水部と、を有し、
上記ボウル部は、このボウル部を前後方向に二等分する左右方向に延びる中心軸線に対して前方側及び後方側にそれぞれ形成される前方側領域及び後方側領域をそれぞれ備えており、
上記リム内壁面は、その下方から上方に向かって上記ボウル部の内側に張り出したオーバーハング部分を備えており、
上記ボウル部の前方側領域における上記オーバーハング部分の下端よりも上記ボウル部の内側に張り出した水平方向のオーバーハング量（Ｗ１）と上記棚部の幅（Ｗ２）との比率（Ｗ１／Ｗ２）は、１．０より小さく設定されていることを特徴とする水洗大便器。
【請求項２】
上記リム内壁面のオーバーハング部分は、その下端から上方に且つ上記ボウル部の内側に向かって傾斜した傾斜面を形成している請求項１記載の水洗大便器。
【請求項３】
上記傾斜面は、その鉛直面に対する傾斜角度が上記リム内壁面の全周のうちの上記ボウル部内の前端付近で最大となるように設定されている請求項２記載の水洗大便器。
【請求項４】
上記ボウル部の内側に張り出した水平方向のオーバーハング量（Ｗ１）と上記棚部の幅（Ｗ２）との比率（Ｗ１／Ｗ２）は、０．２以上に設定されている請求項１乃至３の何れか１項に記載の水洗大便器。
【請求項５】
上記連結部は、曲面にて上記棚部の外縁と上記リム内壁面の下端とを連結するものであり、この連結部の曲面の上下方向の曲率半径は、上記ボウル部の側方よりも後方の方が大きくなるように設定されている請求項１乃至４の何れか１項に記載の水洗大便器。
【請求項６】
上記棚部の幅は、上記ボウル部の側方よりも後方の方が小さくなるように設定されている請求項５記載の水洗大便器。
【請求項７】
上記棚部の幅は、上記ボウル部の側方よりも前方の方が大きくなるように設定されている請求項１乃至６の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、洗浄水源から供給される洗浄水によって洗浄されて汚物を排出する水洗大便器として、例えば、特許文献１に記載されているように、リム内壁面の視認性を高めるために、リム内壁面が下方から上方に向かって外側に傾斜しているものや、リム内壁面が垂直に立ち上がっているものが知られている。
また、上述した特許文献１に記載されているように、リム内壁面が下方から上方に向かって内側に傾斜しているものについても知られている。
さらに、特許文献２に記載されているように、従来の水洗大便器として、リム内壁面が全周に亘ってオーバーハング形状になっているものや、リム内壁面の一部がオーバーハング形状になっているものについても知られている。
【先行技術文献】
【特許文献】
【０００３】
【特許文献１】特開２００９−９７１７２号公報
【特許文献２】特許第３３８１２６１号公報（国際公開第９８／０１６６９６号）
【発明の概要】
【発明が解決しようとする課題】
【０００４】
しかしながら、上述した従来のような水洗大便器において、リム内壁面が下方から上方に向かって外側に傾斜した形態や、リム内壁面が垂直に立ち上がった形態については、ボウル部の汚物受け面の上縁に洗浄水を旋回させるための棚部が設けられると、ボウル部よりも前方且つ上方の使用者側から見て棚部が露出された状態となる。
したがって、使用者にとっては、汚物が棚部に付着するのではないかという見た目の不安感が生じ易いと共に、便器の意匠性を低下させる要因にもなっているという問題がある。
一方、リム内壁面が全周に亘って大きなオーバーハング形状にした場合には、リム内壁面の視認性が極度に低下してしまい、清掃性も低下するという問題がある。
【０００５】
そこで、本発明は、上述した従来技術の問題を解決するためになされたものであり、リム内壁面の視認性を維持しつつ、棚部の露出量を低減させて、汚物の付着し易さに関する見た目の不安感を解消することができる水洗大便器を提供することを目的としている。
【課題を解決するための手段】
【０００６】
上述した課題を解決するために、本発明は、洗浄水源から供給される洗浄水によって洗浄されて汚物を排出する水洗大便器であって、ボウル形状の汚物受け面と、この汚物受け面の上縁に形成される棚部と、この棚部の外縁から外側へ延びる連結部と、この連結部の外縁から立ち上がるリム内壁面を形成するリム部と、を備えたボウル部と、上記ボウル部内に洗浄水を吐水するリム吐水部と、を有し、上記ボウル部は、このボウル部を前後方向に二等分する左右方向に延びる中心軸線に対して前方側及び後方側にそれぞれ形成される前方側領域及び後方側領域をそれぞれ備えており、上記リム内壁面は、その下方から上方に向かって上記ボウル部の内側に張り出したオーバーハング部分を備えており、上記ボウル部の前方側領域における上記オーバーハング部分の下端よりも上記ボウル部の内側に張り出した水平方向のオーバーハング量（Ｗ１）と上記棚部の幅（Ｗ２）との比率（Ｗ１／Ｗ２）は、１．０より小さく設定されていることを特徴としている。
このように構成された本発明においては、ボウル部の前方側領域におけるリム内壁面のオーバーハング部分の下端よりもボウル部の内側に張り出した水平方向のオーバーハング量（Ｗ１）と棚部の幅（Ｗ２）との比率（Ｗ１／Ｗ２）が１．０より小さく設定されていることにより、ボウル部よりも前方且つ上方の使用者側から見て、リム内壁面の視認性を効果的に維持することができると共に、ボウル部の前方側領域における棚部の外縁が見え難く、棚部の露出量を効果的に低減させることができる。
したがって、汚物が棚部に付着し易くなることを抑制することができ、見た目の不安感を解消することができる。
【０００７】
本発明において、好ましくは、上記リム内壁面のオーバーハング部分は、その下端から上方に且つ上記ボウル部の内側に向かって傾斜した傾斜面を形成している。
このように構成された本発明においては、リム内壁面のオーバーハング部分が、その下端から上方に且つボウル部の内側に向かって傾斜した傾斜面を形成しているため、ボウル部よりも前方且つ上方の使用者側から見て、リム内壁面の視認性をより効果的に維持することができると共に、棚部の露出量をより効果的に低減させることができる。
したがって、汚物が棚部に付着し易くなることを抑制することができ、見た目の不安感を解消することができる。
【０００８】
本発明において、好ましくは、上記傾斜面は、その鉛直面に対する傾斜角度が上記リム内壁面の全周のうちの上記ボウル部内の前端付近で最大となるように設定されている。
このように構成された本発明においては、リム内壁面のオーバーハング部分の傾斜面について、その鉛直面に対する傾斜角度がリム内壁面の全周のうちのボウル部内の前端付近で最大となるように設定されているため、特に、ボウル部内の前端付近の棚部の露出量をより効果的に低減させることができる。
また、例えば、小便がぶつかりやすいボウル部内の前端付近のリム内壁面に小便がぶつかった場合においても、小便がリム内壁面のオーバーハング部分の傾斜面に沿って駆け上がってボウル部の外部へ飛び出すことを抑制することができる。
さらに、ボウル部内の前端付近のリム内壁面のオーバーハング部分の傾斜角度が最大となる傾斜面により、水洗大便器の施工時等において把持がし易くなるため、施工性についても向上させることができる。
【０００９】
本発明において、好ましくは、上記ボウル部の内側に張り出した水平方向のオーバーハング量（Ｗ１）と上記棚部の幅（Ｗ２）との比率（Ｗ１／Ｗ２）は、０．２以上に設定されている。
このように構成された本発明においては、ボウル部の前方側領域におけるリム内壁面のオーバーハング部分の下端よりもボウル部の内側に張り出した水平方向のオーバーハング量（Ｗ１）と棚部の幅（Ｗ２）との比率（Ｗ１／Ｗ２）が０．２以上に設定されていることにより、ボウル部よりも前方且つ上方の使用者側から見て、リム内壁面の視認性を効果的に維持することができると共に、ボウル部の前方側領域における棚部の外縁が見え難く、棚部の露出量を効果的に低減させることができる。
したがって、汚物が棚部に付着し易くなることを抑制することができ、見た目の不安感を解消することができる。
【００１０】
本発明において、好ましくは、上記連結部は、曲面にて上記棚部の外縁と上記リム内壁面の下端とを連結するものであり、この連結部の曲面の上下方向の曲率半径は、上記ボウル部の側方よりも後方の方が大きくなるように設定されている。
このように構成された本発明においては、ボウル部の棚部の外縁から外側へ延びる連結部が、棚部の外縁とリム内壁面の下端とを連結するものであり、この連結部の曲面の上下方向の曲率半径が、ボウル部の側方よりも後方の方が大きくなるように設定されているため、ボウル部よりも前方且つ上方の使用者側から見て、ボウル部の側方よりも後方の棚部の外縁とリム内壁面の下端との連結部（境界）を目立ち難くすることができる。
したがって、ボウル部の側方よりも後方のリム内壁面の視認性をさらにより効果的に維持することができる。
【００１１】
本発明において、好ましくは、上記棚部の幅は、上記ボウル部の側方よりも後方の方が小さくなるように設定されている。
このように構成された本発明においては、棚部の幅がボウル部の側方よりも後方の方が小さくなるように設定されているため、ボウル部よりも前方且つ上方の使用者側から見て、ボウル部の側方よりも後方の棚部の存在を目立たなくさせることができる。
したがって、ボウル部の側方よりも後方のリム内壁面の視認性をさらにより効果的に維持することができると共に、汚物がボウル部の側方よりも後方の棚部に付着し易くなることを抑制することができ、見た目の不安感を解消することができる。
【００１２】
本発明において、好ましくは、上記棚部の幅は、上記ボウル部の側方よりも前方の方が大きくなるように設定されている。
このように構成された本発明においては、棚部の幅がボウル部の側方よりも前方の方が大きくなるように設定されているため、ボウル部よりも前方且つ上方の使用者側から見て、リム内壁面の視認性を効果的に維持することができると共に、ボウル部の側方よりも前方の棚部を見え難くすることができ、棚部の露出量を効果的に低減させることができる。
したがって、汚物が棚部に付着し易くなることを抑制することができ、見た目の不安感を解消することができる。
【発明の効果】
【００１３】
本発明の水洗大便器によれば、リム内壁面の視認性を維持しつつ、棚部の露出量を低減させて、汚物の付着し易さに関する見た目の不安感を解消することができる。
【図面の簡単な説明】
【００１４】
【図１】本発明の第１実施形態による水洗大便器の便器本体の中央側面断面図である。
【図２】本発明の第１実施形態による水洗大便器の便器本体の平面図である。
【図３】図２のＩＩＩ−ＩＩＩ線に沿った断面図である。
【図４】図２のＩＶ−ＩＶ線に沿った断面図である。
【図５】図２のＶ−Ｖ線に沿った断面図である。
【図６】本発明の第２実施形態による水洗大便器におけるボウル部の前端付近における図３と同様な断面図である。
【図７】本発明の第２実施形態による水洗大便器におけるボウル部の左端付近における図４と同様な断面図である。
【発明を実施するための形態】
【００１５】
つぎに、図１〜図５を参照して、本発明の第１実施形態による水洗大便器について説明する。
まず、図１は、本発明の第１実施形態による水洗大便器の便器本体の中央側面断面図である。また、図２は、本発明の第１実施形態による水洗大便器の便器本体の平面図である。
【００１６】
図１及び図２に示すように、本発明の第１実施形態による水洗大便器１は、陶器製の便器本体２を備えている。また、この便器本体２については、陶器製以外の樹脂製等であってもよい。
ここで、図１及び図２に示す本実施形態の水洗大便器１においては、便器本体２の上面に便座及び便蓋が設けられていると共に、その後方側には、使用者の局部を洗浄する衛生洗浄部や便器本体２への給水機能に関与する給水系機能部等の機能部等が設けられているが、これらについては図示せず、説明を省略する。
【００１７】
また、図１及び図２に示すように、便器本体２は、ボウル形状の汚物受け面４と、この汚物受け面４の上縁４ａに形成される棚部６と、この棚部６の外縁６ａから立ち上がるように形成されたリム部８とからなるボウル部１０を備えている。
さらに、図１に示すように、便器本体２は、ボウル部１０の下方に入口部１２ａが接続されて、ボウル部１０内の汚物を排出する排水路である排水トラップ管路１２を備えている。
【００１８】
ここで、図１及び図２に示す本発明の第１実施形態による水洗大便器１においては、便器本体２のボウル部１０の平面視において、ボウル部１０を前後方向に二等分するように水平左右方向に延びる中心軸線を「Ｘ」で示し、ボウル部１０を左右方向に二等分するように水平前後方向に延びる中心軸線を「Ｙ」で示し、ボウル部１０の中心Ｏを通る鉛直方向に延びる中心軸線を「Ｚ」で示している。
また、図２に示すように、水洗大便器１の前後左右の方向については、「前」、「後」、「左」、「右」でそれぞれ示している。
そして、図１及び図２に示すように、水洗大便器１のボウル部１０における中心Ｏ、水平左右方向の中心軸線Ｘ、及び鉛直方向の中心軸線Ｚに対して、前方側、後方側のそれぞれの領域について、「前方側領域Ｆ」、「後方側領域Ｂ」とそれぞれ定義している。
さらに、図２に示すように、水洗大便器１のボウル部１０における中心Ｏ、水平前後方向の中心軸線Ｙに対して、前方から見て左側、右側のそれぞれの領域について、「左側領域Ｌ」、「右側領域Ｒ」とそれぞれ定義している。
【００１９】
つぎに、図１及び図２に示すように、ボウル部１０の前方側領域Ｆ内の右側領域Ｒのリム部８の内部には、リム吐水部の一部として機能するリム通水路１４が形成されている。
また、このリム通水路１４の下流端には、ボウル部１０内に洗浄水を後方に吐水して旋回流を形成するリム吐水部の一部として機能する単一のリム吐水口１６が形成されている。
すなわち、リム吐水部は、ボウル部１０のリム部８に設けられて洗浄水を吐水するリム吐水口１６をリム部８の全周において１つ形成し、このリム吐水口１６はボウル部１０の前方側領域Ｆ内の右側領域Ｒのリム部８に設けられて洗浄水を後方に吐水するものである。
さらに、図２に示すように、リム通水路１４の上流側は、導水管１８に接続されている。この導水管１８の上流側は、洗浄水源である水道（図示せず）に直結されており、この水道の給水圧力を利用して、導水管１８からリム通水路１４内に供給された洗浄水は、リム通水路１４内で前方へ導かれ、その後、内側且つ後方側に屈曲し、下流側のリム吐水口１６まで導かれるようになっている。
そして、リム吐水口１６に導かれた洗浄水は、後方に向けて吐水（リム吐水）され、ボウル部１０内を旋回することにより、ボウル部１０内に旋回流が形成されるようになっている。
【００２０】
なお、本実施形態の水洗大便器１においては、リム通水路１４がボウル部１０の右側領域Ｒのリム部８の内部に設けられていると共に、単一のリム吐水口１６が便器本体２の前方から見てボウル部１０の前方側領域Ｆ且つ右側領域Ｒのリム部８の内周側に形成された形態について説明するが、このような形態に限られず、他の形態として、リム通水路１４がボウル部１０の左側領域Ｌのリム部８の内部に設けられていると共に、単一のリム吐水口１６がボウル部１０の前方側領域Ｆ且つ左側領域Ｌのリム部８の内周側に設けられて、リム吐水口１６から後方に向けて吐水（リム吐水）が行われるような形態であってもよい。
また、単一のリム吐水口１６については、ボウル部１０の前方側領域Ｆ内のリム部８であれば、左側方又は右側方のいずれか一方の側方付近のリム部８に設けられていてもよい。
【００２１】
さらに、図１に示すように、ボウル部１０の底部には、排水トラップ管路１２の入口部１２ａに差し向けられるようにジェット吐水口２０が形成されており、このジェット吐水口２０からも給水系機能部（図示せず）からの吐水（ジェット吐水）が行われるようになっている。
なお、本実施形態による水洗大便器１においては、リム吐水口１６によるリム吐水について水道の給水圧力を利用して行い、ジェット吐水口２０によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。また、ジェット吐水口２０によるジェット吐水について省略した形態であってもよい。
【００２２】
つぎに、図１〜図５を参照して、本発明の第１実施形態による水洗大便器１のボウル部１０の汚物受け面４の上縁部からリム部８までの部分の詳細について説明する。
まず、図３は、図２のＩＩＩ−ＩＩＩ線に沿った断面図であり、すなわち、本発明の第１実施形態による水洗大便器１におけるボウル部１０の前端付近の断面図である。
また、図４は、図２のＩＶ−ＩＶ線に沿った断面図であり、すなわち、本発明の第１実施形態による水洗大便器１におけるボウル部１０の左端付近の断面図である。
さらに、図５は、図２のＶ−Ｖ線に沿った断面図であり、すなわち、本発明の第１実施形態による水洗大便器１におけるボウル部１０の後端付近の断面図である。
【００２３】
まず、図３〜図５に示すように、ボウル部１０は、棚部６の外縁６ａから外側へ延びる連結部として、棚部６の外縁６ａとリム部８の下端８ａとの間を各曲面Ｃ１，Ｃ２，Ｃ３にてそれぞれ連結する外側連結部２２を備えている。そして、リム部８のリム内壁面８ｂは、この外側連結部２２の外縁から立ち上がるように形成されている。
同様に、ボウル部１０は、汚物受け面４の上縁４ａと棚部６の内縁６ｂとの間を各曲面Ｃ４，Ｃ５，Ｃ６にてそれぞれ連結する内側連結部２４を備えている。
また、図２に示すように、ボウル部１０の前方側領域Ｆ且つ右側領域Ｒにおける棚部６の外縁６ａは、リム吐水口１６よりもボウル部１０の内側に位置しており、ボウル部１０の前方側領域Ｆ且つ左側領域Ｌにおける棚部６の外縁６ａとほぼ左右対称となっている。
【００２４】
つぎに、図３〜図５に示すように、リム部８は、その下端８ａから立ち上がるようにリム内壁面８ｂを形成し、このリム内壁面８ｂは、その下方から上方に向かってボウル部１０の内側に張り出したオーバーハング部分８ｃを備えている。
ここで、図３及び図４に示すように、ボウル部１０の前方側領域Ｆにおけるオーバーハング部分８ｃの下端を「オーバーハング下端８ｄ」とし、このオーバーハング下端８ｄよりもボウル部１０の内側に最も張り出したオーバーハング部分８ｃの内縁を「オーバーハング内縁８ｅ」とすると、図３に示すボウル部１０の前方側領域Ｆの前端付近におけるオーバーハング部分８ｃの下端８ｄから内縁８ｅまでの水平方向のオーバーハング量Ｗ１は、例えば、１０ｍｍに設定されている。
同様に、図４に示すボウル部１０の前方側領域Ｆの左端付近におけるオーバーハング部分８ｃの下端８ｄから内縁８ｅまでの水平方向のオーバーハング量Ｗ１についても、例えば、１０ｍｍに設定されている。
一方、図３に示すボウル部１０の前方側領域Ｆの前端における棚部６の内縁６ｂから外縁６ａまでの水平方向の棚幅Ｗ２は、例えば、２０ｍｍに設定されているが、図４に示すボウル部１０の前方側領域Ｆの左端付近における棚部６の内縁６ｂから外縁６ａまでの水平方向の棚幅Ｗ２は、例えば、１０ｍｍに設定されている。
したがって、図３に示すボウル部１０の前方側領域Ｆの前端付近におけるオーバーハング量Ｗ１と棚幅Ｗ２との比率Ｗ１／Ｗ２は、例えば、０．５となっているが、図４に示すボウル部１０の前方側領域Ｆの左端付近におけるオーバーハング量Ｗ１と棚幅Ｗ２との比率Ｗ１／Ｗ２は、例えば、１．０となっている。
なお、本実施形態では、ボウル部１０の前方側領域Ｆにおけるオーバーハング量Ｗ１と棚幅Ｗ２との比率Ｗ１／Ｗ２は、例えば、０．２以上且つ１．０より小さく設定されていることが好ましく、０．３〜０．７に設定されていることが最も好ましい。
これらにより、ボウル部１０よりも前方且つ上方の使用者側から見て、図２に示すように、リム内壁面８ｂの視認性を効果的に維持することができると共に、ボウル部１０の前方側領域Ｆにおける棚部６の外縁６ａが見え難く、棚部６の露出量を効果的に低減させることができるようになっている。さらに、汚物が棚部６に付着し易くなることを抑制することができ、見た目の不安感を解消することができるようにもなっている。
【００２５】
つぎに、図３〜図５に示すように、リム内壁面８ｂのオーバーハング部分８ｃは、その下端８ｄから斜め上方に且つボウル部１０の内側の内縁８ｅに向かって傾斜した傾斜面Ｓ１〜Ｓ３を形成している。
また、図３に示すボウル部１０の前方側領域Ｆの前端付近におけるオーバーハング部分８ｃの傾斜面Ｓ１は、その鉛直面Ｖ１に対する傾斜角度α１がリム内壁面８ｂの全周のうちのボウル部１０内の前端付近で最大となるように設定されている。
すなわち、図３に示すボウル部１０の前方側領域Ｆの前端付近におけるオーバーハング部分８ｃの傾斜面Ｓ１の傾斜角度α１は、図４に示すボウル部１０の前方側領域Ｆの左端付近におけるオーバーハング部分８ｃの傾斜面Ｓ２の傾斜角度α２（＜α１）よりも大きくなるように設定され、図５に示すボウル部１０の後方側領域Ｂの後端付近におけるオーバーハング部分８ｃの傾斜面Ｓ３の傾斜角度α３（＜α１）よりも大きくなるように設定されている。
なお、図３に示すボウル部１０の前方側領域Ｆの前端付近におけるオーバーハング部分８ｃの傾斜面Ｓ１の傾斜角度α１については、例えば、５°〜４０°に設定されていることが好ましく、２０°〜３０°に設定されていることが最も好ましい。
【００２６】
つぎに、図５に示すボウル部１０の後方側領域Ｂの後端付近における棚部６の外縁６ａとリム部８の下端８ａとの間の外側連結部２２の曲面Ｃ３の立面視の上下方向の曲率半径ρ３は、図４に示すボウル部１０の前方側領域Ｆの左端付近における外側連結部２２の曲面Ｃ２の立面視の上下方向の曲率半径ρ２（＜ρ３）よりも大きく設定されており、外側連結部２２の曲面Ｃ２，Ｃ３の立面視の上下方向の曲率半径ρ２，ρ３がボウル部１０の側方よりも後方の方が大きくなるように設定されている。
ちなみに、図３に示すボウル部１０の前方側領域Ｆの前端付近における外側連結部２２の曲面Ｃ１の立面視の上下方向の曲率半径ρ１については、例えば、３ｍｍ〜２０ｍｍに設定されていることが好ましく、５〜１０ｍｍに設定されていることが最も好ましい。
また、図４に示すボウル部１０の前方側領域Ｆの左端付近における外側連結部２２の曲面Ｃ２の立面視の上下方向の曲率半径ρ２については、例えば、３ｍｍ〜２０ｍｍに設定されていることが好ましく、５〜１０ｍｍに設定されていることが最も好ましい。
さらに、図５に示すボウル部１０の後方側領域Ｂの後端付近における外側連結部２２の曲面Ｃ３の立面視の上下方向の曲率半径ρ３については、例えば、５ｍｍ〜４０ｍｍに設定されることが好ましく、１０〜２５ｍｍに設定されることがより好ましい。
【００２７】
つぎに、図５に示すボウル部１０の後方側領域Ｂの後端付近における棚部６の棚幅Ｗ３は、図４に示すボウル部１０の前方側領域Ｆの左端付近における棚部６の棚幅Ｗ２（＞Ｗ３）よりも小さく設定されており、棚部６の棚幅Ｗ２，Ｗ３は、ボウル部１０の側方よりも後方の方が小さくなるように設定されている。
【００２８】
つぎに、図３に示すボウル部１０の前方側領域Ｆの前端付近における棚部６の棚幅Ｗ２は、図４に示すボウル部１０の前方側領域Ｆの左端付近における棚部６の棚幅Ｗ２よりも大きく設定されており、棚部６の棚幅Ｗ２は、ボウル部１０の側方よりも前方の方が大きくなるように設定されている。
【００２９】
ちなみに、図３に示すボウル部１０の前方側領域Ｆの前端付近における棚部６の棚幅Ｗ２については、例えば、５ｍｍ〜５０ｍｍに設定されていることが好ましく、１５〜３０ｍｍに設定されていることが最も好ましい。
また、図４に示すボウル部１０の前方側領域Ｆの左端付近における棚部６の棚幅Ｗ２については、例えば、５ｍｍ〜３０ｍｍに設定されていることが好ましく、５〜２０ｍｍに設定されていることが最も好ましい。
さらに、図５に示すボウル部１０の後方側領域Ｂの後端付近における棚部６の棚幅Ｗ３については、例えば、０ｍｍ〜２０ｍｍに設定されることが好ましく、０ｍｍ〜１０ｍｍに設定されることが最も好ましい。
【００３０】
また、図３に示すボウル部１０の前方側領域Ｆの前端付近における汚物受け面４の上縁４ａと棚部６の内縁６ｂとの間の内側連結部２４の曲面Ｃ４の立面視の上下方向の曲率半径ρ４については、例えば、２０ｍｍ〜７０ｍｍに設定されていることが好ましく、３０〜５０ｍｍに設定されていることが最も好ましい。
さらに、図４に示すボウル部１０の前方側領域Ｆの左端付近における内側連結部２４の曲面Ｃ５の立面視の上下方向の曲率半径ρ５については、例えば、５ｍｍ〜３５ｍｍに設定されていることが好ましく、５〜２０ｍｍに設定されていることが最も好ましい。
また、図５に示すボウル部１０の後方側領域Ｂの後端付近における内側連結部２４の曲面Ｃ６の立面視の上下方向の曲率半径ρ６については、例えば、３０ｍｍ〜８０ｍｍに設定されることが好ましく、３５〜５５ｍｍに設定されることがより好ましい。
【００３１】
つぎに、上述した本発明の第１実施形態による水洗大便器１における作用について説明する。
まず、本発明の第１実施形態による水洗大便器１によれば、ボウル部１０の前方側領域Ｆにおけるリム内壁面８ｂのオーバーハング部分８ｃの下端８ｄよりもボウル部１０の内側に張り出した水平方向のオーバーハング量Ｗ１と棚部６の棚幅Ｗ２との比率Ｗ１／Ｗ２が０．２以上且つ１．０より小さく設定されていることにより、ボウル部１０よりも前方且つ上方の使用者側から見て、リム内壁面８ｂの視認性を効果的に維持することができると共に、ボウル部１０の前方側領域Ｆにおける棚部６の外縁６ａが見え難く、棚部６の露出量を効果的に低減させることができる。
したがって、汚物が棚部６に付着し易くなることを抑制することができ、見た目の不安感を解消することができる。
【００３２】
つぎに、本実施形態による水洗大便器１によれば、リム内壁面８ｂのオーバーハング部分８ｃが、その下端８ｄから上方に且つボウル部１０の内側に向かって傾斜した傾斜面Ｓ１，Ｓ２，Ｓ３を形成しているため、ボウル部１０よりも前方且つ上方の使用者側から見て、リム内壁面８ｂの視認性をより効果的に維持することができると共に、棚部の露出量をより効果的に低減させることができる。
したがって、汚物が棚部６に付着し易くなることを抑制することができ、見た目の不安感を解消することができる。
【００３３】
また、本実施形態による水洗大便器１によれば、リム内壁面８ｂのオーバーハング部分８ｃの傾斜面Ｓ１について、その鉛直面Ｖ１に対する傾斜角度α１がリム内壁面８ｂの全周のうちのボウル部１０内の前端付近で最大となるように設定されているため、特に、ボウル部１０内の前端付近の棚部６の露出量をより効果的に低減させることができる。
また、例えば、小便がぶつかりやすいボウル部１０内の前端付近のリム内壁面８ｂに小便がぶつかった場合においても、小便がリム内壁面８ｂのオーバーハング部分８ｃの傾斜面Ｓ１に沿って駆け上がってボウル部１０の外部へ飛び出すことを抑制することができる。
さらに、ボウル部１０内の前端付近のリム内壁面８ｂのオーバーハング部分８ｃの傾斜角度α１が最大となる傾斜面Ｓ１により、水洗大便器１の施工時等において把持がし易くなるため、施工性についても向上させることができる。
【００３４】
さらに、本実施形態による水洗大便器１によれば、図５に示すボウル部１０の後方側領域Ｂの後端付近における棚部６の外縁６ａとリム部８の下端８ａとの間の外側連結部２２の曲面Ｃ３の立面視の上下方向の曲率半径ρ３は、図４に示すボウル部１０の前方側領域Ｆの左端付近における外側連結部２２の曲面Ｃ２の立面視の上下方向の曲率半径ρ２（＜ρ３）よりも大きく設定されており、外側連結部２２の曲面Ｃ２，Ｃ３の立面視の上下方向の曲率半径ρ２，ρ３がボウル部１０の側方よりも後方の方が大きくなるように設定されているため、ボウル部１０よりも前方且つ上方の使用者側から見て、ボウル部１０の側方よりも後方の棚部６の外縁６ａとリム内壁面８ｂの下端８ａとの境界である外側連結部２２を目立ち難くすることができる。
したがって、ボウル部１０の側方よりも後方のリム内壁面８ｂの視認性をさらにより効果的に維持することができるようになっている。
【００３５】
また、本実施形態による水洗大便器１によれば、図５に示すボウル部１０の後方側領域Ｂの後端付近における棚部６の棚幅Ｗ３は、図４に示すボウル部１０の前方側領域Ｆの左端付近における棚部６の棚幅Ｗ２（＞Ｗ３）よりも小さく設定されており、棚部６の棚幅Ｗ２，Ｗ３は、ボウル部１０の側方よりも後方の方が小さくなるように設定されているため、ボウル部１０よりも前方且つ上方の使用者側から見て、ボウル部１０の側方よりも後方の棚部６の存在を目立たなくさせることができる。
したがって、ボウル部１０の側方よりも後方のリム内壁面８ｂの視認性をさらにより効果的に維持することができると共に、汚物がボウル部１０の側方よりも後方の棚部６に付着し易くなることを抑制することができ、見た目の不安感を解消することができる。
【００３６】
さらに、本実施形態による水洗大便器１によれば、図３に示すボウル部１０の前方側領域Ｆの前端付近における棚部６の棚幅Ｗ２が、図４に示すボウル部１０の前方側領域Ｆの左端付近における棚部６の棚幅Ｗ２よりも大きく設定されており、棚部６の棚幅Ｗ２が、ボウル部１０の側方よりも前方の方が大きくなるように設定されているため、ボウル部１０よりも前方且つ上方の使用者側から見て、リム内壁面８ｂの視認性を効果的に維持することができると共に、ボウル部１０の側方よりも前方の棚部６を見え難くすることができ、棚部６の露出量を効果的に低減させることができる。
したがって、汚物が棚部６に付着し易くなることを抑制することができ、見た目の不安感を解消することができる。
【００３７】
つぎに、図６及び図７を参照して、本発明の第２実施形態による水洗大便器について説明する。
図６は、本発明の第２実施形態による水洗大便器におけるボウル部の前端付近における図３と同様な断面図であり、図７は、本発明の第２実施形態による水洗大便器におけるボウル部の左端付近における図４と同様な断面図である。
ここで、図６及び図７に示す本発明の第２実施形態による水洗大便器において、図１〜図５に示す本発明の第１実施形態による水洗大便器１と同一部分については同一の符号を付し、これらの説明については省略する。
【００３８】
まず、図６及び図７に示すように、本発明の第２実施形態による水洗大便器１００においては、ボウル部１１０が、本発明の第１実施形態による水洗大便器１のボウル部１０の外側連結部２２や内側連結部２４に相当するものを備えていない点で、上述した第１実施形態による水洗大便器１と異なった構造となっている。
すなわち、本実施形態による水洗大便器１００においては、棚部１０６の外縁１０６ａとリム部１０８の下端１０８ａとが、互いに曲面にて連結されることなく、互いに一致するように接続されていると共に、汚物受け面１０４の上縁１０４ａと棚部１０６の内縁１０６ｂとが、互いに曲面にて連結されることなく、互いに一致するように接続されている。
【００３９】
また、図６及び図７に示すように、本発明の第２実施形態による水洗大便器１００においては、図６に示すボウル部１１０の前方側領域Ｆの前端付近におけるオーバーハング部分１０８ｃの下端１０８ｄから内縁１０８ｅまでの水平方向のオーバーハング量Ｗ１は、例えば、１０ｍｍに設定されている。
同様に、図７に示すボウル部１１０の前方側領域Ｆの左端付近におけるオーバーハング部分１０８ｃの下端１０８ｄから内縁１０８ｅまでの水平方向のオーバーハング量Ｗ１についても、例えば、１０ｍｍに設定されている。
一方、図６に示すボウル部１１０の前方側領域Ｆの前端における棚部１０６の内縁１０６ｂから外縁１０６ａまでの水平方向の棚幅Ｗ２は、例えば、３３ｍｍに設定されているが、図７に示すボウル部１１０の前方側領域Ｆの左端付近における棚部１０６の内縁１０６ｂから外縁１０６ａまでの水平方向の棚幅Ｗ２は、例えば、２５ｍｍに設定されている
したがって、図６に示すボウル部１１０の前方側領域Ｆの前端付近におけるオーバーハング量Ｗ１と棚幅Ｗ２との比率Ｗ１／Ｗ２は、例えば、０．３となっているが、図７に示すボウル部１１０の前方側領域Ｆの左端付近におけるオーバーハング量Ｗ１と棚幅Ｗ２との比率Ｗ１／Ｗ２は、例えば、０．４なっている
なお、本実施形態では、ボウル部１１０の前方側領域Ｆにおけるオーバーハング量Ｗ１と棚幅Ｗ２との比率Ｗ１／Ｗ２は、例えば、０．２以上且つ１．０より小さく設定されていることが好ましく、０．２〜０．５に設定されていることが最も好ましい。
【００４０】
つぎに、本実施形態による水洗大便器１００においては、上述した第１実施形態による水洗大便器１と同様に、図６に示すボウル部１１０の前方側領域Ｆの前端付近におけるオーバーハング部分１０８ｃの傾斜面Ｓ１について、その鉛直面Ｖ１に対する傾斜角度α１がリム内壁面１０８ｂの全周のうちのボウル部１１０内の前端付近で最大となるように設定されている。
すなわち、図６に示すボウル部１１０の前方側領域Ｆの前端付近におけるオーバーハング部分１０８ｃの傾斜面Ｓ１の傾斜角度α１が、図７に示すボウル部１１０の前方側領域Ｆの左端付近におけるオーバーハング部分１０８ｃの傾斜面Ｓ２の傾斜角度α２（＜α１）よりも大きくなるように設定されている。
【００４１】
また、本実施形態による水洗大便器１００においては、上述した第１実施形態による水洗大便器１と同様に、図６に示すボウル部１１０の前方側領域Ｆの前端付近における棚部１０６の棚幅Ｗ２（例えば、Ｗ２＝３４．５ｍｍ）が、図７に示すボウル部１１０の前方側領域Ｆの左端付近における棚部１０６の棚幅Ｗ２（例えば、Ｗ２＝２７．４ｍｍ）よりも大きく設定されており、棚部１０６の棚幅Ｗ２が、ボウル部１１０の側方よりも前方の方が大きくなるように設定されている。
ちなみに、図６に示すボウル部１１０の前方側領域Ｆの前端付近における棚部１０６の棚幅Ｗ２については、例えば、１０ｍｍ〜１００ｍｍに設定されていることが好ましく、２０〜５０ｍｍに設定されていることが最も好ましい。
また、図７に示すボウル部１１０の前方側領域Ｆの左端付近における棚部１０６の棚幅Ｗ２については、例えば、１０ｍｍ〜５０ｍｍに設定されていることが好ましく、１５〜３０ｍｍに設定されていることが最も好ましい。
【００４２】
上述した本発明の第２実施形態による水洗大便器１００によれば、ボウル部１１０の前方側領域Ｆにおけるリム内壁面１０８ｂのオーバーハング部分１０８ｃの下端１０８ｄよりもボウル部１１０の内側に張り出した水平方向のオーバーハング量Ｗ１と棚部１０６の棚幅Ｗ２との比率Ｗ１／Ｗ２が０．２以上且つ１．０より小さく設定されていることにより、ボウル部１１０よりも前方且つ上方の使用者側から見て、リム内壁面１０８ｂの視認性を効果的に維持することができると共に、ボウル部１１０の前方側領域Ｆにおける棚部１０６の外縁１０６ａが見え難く、棚部１０６の露出量を効果的に低減させることができる。
したがって、汚物が棚部１０６に付着し易くなることを抑制することができ、見た目の不安感を解消することができる。
【００４３】
また、本実施形態による水洗大便器１００によれば、ボウル部１１０よりも前方且つ上方の使用者側から見て、リム内壁面１０８ｂの視認性をより効果的に維持することができると共に、棚部１０６の露出量をより効果的に低減させることができると共に、汚物が棚部１０６に付着し易くなることを抑制することができ、見た目の不安感を解消することができる。
また、例えば、小便がぶつかりやすいボウル部１１０内の前端付近のリム内壁面１０８ｂに小便がぶつかった場合においても、小便が図６に示すリム内壁面１０８ｂのオーバーハング部分１０８ｃの傾斜面Ｓ１に沿って駆け上がってボウル部１１０の外部へ飛び出すことを抑制することができる。
さらに、図６に示すボウル部１１０内の前端付近のリム内壁面１０８ｂのオーバーハング部分１０８ｃの傾斜角度α１が最大となる傾斜面Ｓ１により、水洗大便器１００の施工時等において把持がし易くなるため、施工性についても向上させることができる。
【００４４】
さらに、本実施形態による水洗大便器１００によれば、図６に示すボウル部１１０の前方側領域Ｆの前端付近における棚部１０６の棚幅Ｗ２が、図７に示すボウル部１１０の前方側領域Ｆの左端付近における棚部１０６の棚幅Ｗ２よりも大きく設定されており、棚部１０６の棚幅Ｗ２が、ボウル部１１０の側方よりも前方の方が大きくなるように設定されているため、ボウル部１１０よりも前方且つ上方の使用者側から見て、リム内壁面１０８ｂの視認性を効果的に維持することができると共に、ボウル部１１０の側方よりも前方の棚部１０６を見え難くすることができ、棚部１０６の露出量を効果的に低減させることができる。
したがって、汚物が棚部１０６に付着し易くなることを抑制することができ、見た目の不安感を解消することができる。
【符号の説明】
【００４５】
１        本発明の第１実施形態による水洗大便器
２        便器本体
４        汚物受け面
４ａ      汚物受け面の上縁
６        棚部
６ａ      棚部の外縁
６ｂ      棚部の内縁
８        リム部
８ａ      リム部の下端
８ｂ      リム内壁面
８ｃ      オーバーハング部分
８ｄ      オーバーハング下端
８ｅ      オーバーハング内縁
１０        ボウル部
１２        排水トラップ管路
１２ａ      入口部
１４        リム通水路（リム吐水部）
１６        リム吐水口（リム吐水部）
１８        導水管
２０        ジェット吐水口
２２        外側連結部（連結部）
２４        内側連結部
１００        本発明の第２実施形態による水洗大便器
１０４        汚物受け面
１０４ａ      汚物受け面の上縁
１０６        棚部
１０６ａ      棚部の外縁
１０６ｂ      棚部の内縁
１０８        リム部
１０８ａ      リム部の下端
１０８ｂ      リム内壁面
１０８ｃ      オーバーハング部分
１０８ｄ      オーバーハング下端
１０８ｅ      オーバーハング内縁
１１０        ボウル部
Ｂ        ボウル部の後方側領域
Ｃ１      曲面
Ｃ２      曲面
Ｃ３      曲面
Ｌ        ボウル部の左側領域
Ｆ        ボウル部の前方側領域
Ｏ        ボウル部の中心
Ｒ        ボウル部の右側領域
Ｓ１      オーバーハング部分の傾斜面
Ｓ２      オーバーハング部分の傾斜面
Ｓ３      オーバーハング部分の傾斜面
Ｖ１      鉛直面
Ｗ１      オーバーハング部分の下端から内縁までの水平方向のオーバーハング量
Ｗ２      棚部の内縁から外縁までの水平方向の棚幅
Ｗ３      棚部の内縁から外縁までの水平方向の棚幅
Ｘ        ボウル部の水平左右方向の中心軸線
Ｙ        ボウル部の水平前後方向の中心軸線
Ｚ        ボウル部の中心を通る鉛直方向の中心軸線
α１      オーバーハング部分の傾斜面の傾斜角度
α２      オーバーハング部分の傾斜面の傾斜角度
α３      オーバーハング部分の傾斜面の傾斜角度
ρ１      曲率半径
ρ２      曲率半径
ρ３      曲率半径
【図１】
2018080503.tif 000003
【図２】
2018080503.tif 000004
【図３】
2018080503.tif 000005
【図４】
2018080503.tif 000006
【図５】
2018080503.tif 000007
【図６】
2018080503.tif 000008
【図７】
2018080503.tif 000009